(57)【要約】      （修正有）【課題】ミスト噴出部から冷たい水が噴出されることにより使用者に不快感を与えることを回避しつつ、製造コストを抑えることが可能な浴用ミスト装置を提供する。【解決手段】ミスト噴霧の開始を指令するミスト噴霧開始指令手段の操作によって、給湯手段から供給されるミスト用湯水が、ミスト用給湯管路２０を経由してミスト噴出手段からミスト状に噴出されるミスト運転を、制御部が実行するように構成され、かつ、ミスト用給湯管路を通流するミスト用湯水の温度を検出するミスト用湯水温度検出手段ＴＨ１と、ミスト用湯水温度検出手段による検出温度が所定の温度に達したときに、その旨を報知する報知手段とを備えた構成とする。【選択図】図１
2017144092.tif 000002
【特許請求の範囲】
【請求項１】
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記給湯手段から供給され、前記ミスト用給湯管路を通流する前記ミスト用湯水の温度を検出するミスト用湯水温度検出手段と、
前記ミスト用湯水温度検出手段による検出温度が所定の温度に達したときに、その旨を報知する報知手段と
を備えることを特徴とする浴用ミスト装置。
【請求項２】
前記ミスト運転の実行時に、前記ミスト噴出手段から前記ミスト用湯水の噴出を開始した時点から、前記報知を行った時点までの経過時間を温度上昇遅延時間として記憶する記憶部と、
前記記憶部に記憶されている前記温度上昇遅延時間を表示する表示手段とを備え、
前記ミスト運転の実行を開始する際、前記表示手段に前記記憶部に記憶されている前記温度上昇遅延時間を表示するように構成されていること
を特徴とする請求項１記載の浴用ミスト装置。
【請求項３】
前記ミスト用給湯管路を通流する前記ミスト用湯水の単位時間当たりの通過量を変更することができるように構成されているとともに、
前記ミスト用給湯管路を通流する前記ミスト用湯水の単位時間当たりの通過量を設定する通過量設定手段を備え、かつ、
前記制御部が、前記ミスト噴出手段からの前記ミスト用湯水の噴出を開始した時点から、前記報知を行うまでの間、前記通過量設定手段による単位時間当たりの前記ミスト用湯水の通過量の設定状態にかかわらず、前記ミスト用給湯管路を通流する前記ミスト用湯水の単位時間当たりの通過量を、変更可能な通過量のうちの最大流量とするように構成されていること
を特徴とする請求項１または２記載の浴用ミスト装置。
【請求項４】
前記ミスト用湯水の前記ミスト噴出手段からの噴出を開始した時点から、前記報知を行うまでの間、前記ミスト用湯水温度検出手段による検出温度が前記所定の温度未満であることを報知するように構成されていることを特徴とする請求項１〜３のいずれかに記載の浴用ミスト装置。
【発明の詳細な説明】
【技術分野】
【０００１】
本発明は、浴用ミスト装置に関し、詳しくは、ミスト噴霧が開始が指令されると、給湯手段から供給されるミスト用湯水が、ミスト噴出手段からミスト状に噴霧されるように構成された浴用ミスト装置に関する。
【背景技術】
【０００２】
近年、浴室でミストを噴霧することによりサウナ効果を得ることができるようにした浴用ミスト装置が用いられるようになっている。
【０００３】
そのような浴用ミスト装置の１つとして、特許文献１には、熱源手段から熱媒循環路を通して供給される熱媒により、給水路を通して供給される水を加熱する液々熱交換器を備え、該液々熱交換器において加熱された湯水をミスト噴出手段に供給するように構成された浴用ミスト装置が開示されている。
【０００４】
そして、この浴用ミスト装置においては、熱源機から液々熱交換器への熱媒の供給を開始したのち、熱媒サーミスタの検出温度が加熱用設定温度以上になり、加熱可能状態を検出すると、ミスト噴出部への湯水の供給を開始するように構成されており、ミスト噴出部から冷たい水が噴出されることを回避して、ミスト噴出部から冷たい水が噴出されることにより使用者に不快感を与えることがないように構成されている。
【０００５】
その結果、この浴用ミスト装置を用いることにより、液々熱交換器において適切な温度に加熱された湯水を、ミスト噴出手段からミスト状に噴出させて、手軽にミスト浴を楽しむことが可能になる。
【先行技術文献】
【特許文献】
【０００６】
【特許文献１】特開２００３−３３４２３０号公報
【発明の概要】
【発明が解決しようとする課題】
【０００７】
しかしながら、特許文献１の浴用ミスト装置においては、上述のように、液々熱交換器において適切な温度に加熱された湯水をミスト噴出部からミスト状に噴出させることで、ミスト噴出部から冷たい水が噴出されることにより使用者に不快感を与えることを回避するように構成されているが、給水用流路を通流する水を加熱するための液々熱交換器が必要であることから、製造コストの増大や構造の複雑化を招くという問題点がある。
【０００８】
本発明は、上記の課題を解決するものであり、液々熱交換器を必要とせず、製造コストを低減することが可能で、しかも、ミスト噴出部から冷たい水が噴出されることにより使用者に不快感を与えることを回避することができる浴用ミスト装置を提供することを目的とする。
【課題を解決するための手段】
【０００９】
上記の目的を達成するために、本発明の浴用ミスト装置は、
ミスト噴霧の開始を指令するミスト噴霧開始指令手段の操作によって、給湯手段から供給されるミスト用湯水が、ミスト用給湯管路を経由してミスト噴出手段からミスト状に噴出されるミスト運転を、制御部が実行するように構成された浴用ミスト装置であって、
前記給湯手段から供給され、前記ミスト用給湯管路を通流する前記ミスト用湯水の温度を検出するミスト用湯水温度検出手段と、
前記ミスト用湯水温度検出手段による検出温度が所定の温度に達したときに、その旨を報知する報知手段と
を備えることを特徴としている。
【００１０】
本発明の浴用ミスト装置においては、
前記ミスト運転の実行時に、前記ミスト噴出手段から前記ミスト用湯水の噴出を開始した時点から、前記報知を行った時点までの経過時間を温度上昇遅延時間として記憶する記憶部と、
前記記憶部に記憶されている前記温度上昇遅延時間を表示する表示手段とを備え、
前記ミスト運転の実行を開始する際、前記表示手段に前記記憶部に記憶されている前記温度上昇遅延時間を表示するように構成されていることが好ましい。
【００１１】
また、前記ミスト用給湯管路を通流する前記ミスト用湯水の単位時間当たりの通過量を変更することができるように構成されているとともに、
前記ミスト用給湯管路を通流する前記ミスト用湯水の単位時間当たりの通過量を設定する通過量設定手段を備え、かつ、
前記制御部が、前記ミスト噴出手段からの前記ミスト用湯水の噴出を開始した時点から、前記報知を行うまでの間、前記通過量設定手段による単位時間当たりの前記ミスト用湯水の通過量の設定状態にかかわらず、前記ミスト用給湯管路を通流する前記ミスト用湯水の単位時間当たりの通過量を、変更可能な通過量のうちの最大流量とするように構成されていることが好ましい。
【００１２】
また、前記ミスト用湯水の前記ミスト噴出手段からの噴出を開始した時点から、前記報知を行うまでの間、前記ミスト用湯水温度検出手段による検出温度が前記所定の温度未満であることを報知するように構成されていることが好ましい。
【発明の効果】
【００１３】
本発明の浴用ミスト装置は、ミスト噴霧開始指令手段の操作により、給湯手段から供給されるミスト用湯水が、ミスト用給湯管路を経由してミスト噴出手段からミスト状に噴出されるミスト運転を行うように構成され、かつ、給湯手段から供給され、ミスト用給湯管路を通流するミスト用湯水の温度を検出するミスト用湯水温度検出手段と、ミスト用湯水温度検出手段による検出温度が所定の温度に達したときに、その旨を報知する報知手段とを備えるようにしているので、液々熱交換器を必要とせず、給湯手段から供給された湯水をミスト用湯水として使用することが可能になり、製造コストの低減を図ることが可能になる。しかも、ミスト用湯水温度検出手段による検出温度が所定の温度に達したときにその旨を報知する報知手段を備えているので、使用者が低温のミスト噴出部から噴霧されるミストを不用意に浴びることを抑制して、使用者に不快感を与えることを回避することができる。
したがって、製造コストを抑制しつつ、低温のミストを噴霧して使用者に不快感を与えることのない浴用ミスト装置を提供することが可能になる。
【００１４】
また、ミスト運転を開始するときに、記憶部に記憶されている温度上昇遅延時間（つまり、当該ミスト運転の直前にミスト運転を実行したときにおける温度上昇遅延時間）を表示するようにした場合、使用者がミスト噴出手段から噴霧される温水の温度が所定の温度に上昇するまでのおよその時間を知ることが可能になり、使い勝手を向上させることができる。
因みに、温度上昇遅延時間は水温が変動することで変化するが、数日の経過による水温の変動は少ないので、およその時間を知るという点では、実使用上、特に問題となるようなことはない。
【００１５】
また、ミスト用湯水のミスト噴出手段からの噴出を開始した時点から、報知を行うまでの間、通過量設定手段の設定状態にかかわらず、ミスト用給湯管路を通流するミスト用湯水の単位時間当たりの通過量が、変更可能な通過量のうちの最大流量となるようにした場合、ミスト用湯水のミスト噴出手段からの噴出を開始した時点から、報知を行うまでの待ち時間が短縮されるので、さらに使い勝手のよい浴用ミスト装置を提供することが可能になる。
【００１６】
また、ミスト用湯水のミスト噴出手段からの噴出を開始した時点から、報知を行うまでの間、ミスト用湯水温度検出手段による検出温度が所定の温度未満であることを報知するようにした場合、ミスト噴出手段から冷たい水が噴出されることにより使用者に不快感を与えることをより確実に回避することが可能になり有意義である。
【図面の簡単な説明】
【００１７】
【図１】本発明の一実施形態にかかる浴用ミスト装置の構成を示す縦断面図である。
【図２】本発明の一実施形態にかかる浴用ミスト装置の内部の配管を説明する管路図である。
【図３】本発明の一実施形態にかかる浴用ミスト装置を浴室に設置した状態の斜視図である。
【図４】本発明の一実施形態にかかる浴用ミスト装置の制御部のブロック図である。
【図５】本発明の一実施形態にかかる浴用ミスト装置が備える脱衣所用の操作器の正面図である。
【図６】本発明の一実施形態にかかる浴用ミスト装置が備える浴室用の操作器の正面図である。
【発明を実施するための形態】
【００１８】
以下、本発明の実施形態を示して、その特徴とするところをさらに詳しく説明する。
【００１９】
［実施形態］
この実施形態にかかる浴用ミスト装置は、図１〜３に示すように、ユニットバスなどの浴室２に設置されるミスト機能付浴室乾燥機（以下、単に「浴室暖房乾燥機Ａ」という）として構成されている。
【００２０】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２１】
また、この浴室暖房乾燥機Ａを浴室２に設置するにあたっては、例えば、図３に示すように、浴槽７の上方の、浴室２の天井８に設置される。
【００２２】
浴室暖房乾燥機Ａの本体（浴室暖房乾燥機本体）９は天井裏に配置されている。具体的には、例えば、吊り金具１０により天井スラブなどに吊り支持し、浴室暖房乾燥機本体９の下面を浴室２の天井８の開口部１１に臨ませている。また、天井８の下面には開口部１１を覆うグリル板１２（図１）が配置されており、グリル板１２が浴室暖房乾燥機本体９の下面側に取り付けられている。
【００２３】
また、図１および図２に示すように、浴室暖房乾燥機本体９内には、熱交換器（温風用熱交換器）（加熱部）１３および送風機１４（１４ａ，１４ｂ）が内装されている。
【００２４】
この温風用熱交換器１３は、内部に温水を通すことで外部を流れる空気、つまり浴室２内に送り込まれる空気と温水とを熱交換して、空気を加熱するように構成されている。この温風用熱交換器１３は浴室暖房乾燥機本体９に配管した暖房用温水管路１５の途中に配置されており、暖房用温水管路１５には給湯暖房機などの熱源機１６（図３）から温水が供給されるように構成されている。
【００２５】
また、図１および図２に示すように、暖房用温水管路１５には温風用熱交換器１３への温水の供給を開閉する熱動弁１７が設けられており、暖房用温水管路１５にはこの管路を流れる温水の温度を検出する暖房温水サーミスタＴＨ２が配設されている。
【００２６】
なお、熱源機１６で加熱された温水は、往き配管５１を経由して浴室暖房乾燥機Ａの往き配管接続部５２（図１）から浴室暖房乾燥機Ａに送り込まれ、浴室暖房乾燥機Ａの温風用熱交換器１３で放熱した後、浴室暖房乾燥機Ａが備える戻り配管接続部６２（図１）から戻り配管６１を経由して熱源機１６へ戻るように、往き配管５１と戻り配管６１とが配設されている。
【００２７】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２８】
さらに、浴室暖房乾燥機本体９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２９】
また、この浴室暖房乾燥機Ａは、ミスト浴の機能を具備するためにミスト発生部１９が組み込まれている。ミスト発生部１９のミストノズル４は、グリル板１２の一部に配置されており、ミスト用給湯管路２０がミストノズル４に連通している。
【００３０】
図２に示すように、ミストノズル４として、２．０リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水がミスト状噴霧される。
【００３１】
そして、２つのミストノズル４（４ａ，４ｂ）の両方から温水のミストを噴霧すると、ミスト用給湯管路２０に４．０リットル／ｍｉｎの温水が通流し「強」に相当するミスト量でミストが噴霧され、２つのミストノズル４ａ，４ｂの一方から温水のミストを噴霧すると、ミスト用給湯管路２０に２．０リットル／ｍｉｎの温水が通流し「弱」に相当するミスト量でミストが噴霧されるように構成されている。
【００３２】
この実施形態の、浴用ミスト装置を備えた浴室暖房乾燥機Ａにおいては、ミスト発生部１９が浴室暖房乾燥機本体９の上に搭載されているが、ミスト発生部１９を浴室暖房乾燥機本体９の中に収納するようにしてもよい。
【００３３】
ミスト用給湯管路２０には、本発明における給湯装置としても機能する熱源機１６から温水が供給されるように構成されており、入口側から順にストレーナ２２、給湯電磁弁２３が設けられている（図１、図２）。ただし、図３においては、給湯配管の図示は省略している。
ただし、ミスト用湯水を、熱源機１６とは別に配設された給湯装置から供給するように構成することも可能である。
【００３４】
因みに、浴室暖房乾燥機Ａの取扱説明書で、給湯装置（を兼ねる熱源機１６）の出湯設定温度を４８℃に設定するように指定されており、給湯装置（熱源機１６）からは、４８℃の温水が供給されるように構成されている。
【００３５】
ミスト用給湯管路２０におけるミスト開閉弁２１ａ，２１ｂの上流側には、ミスト用給湯管路２０を流れる温水の温度を検出するミスト温度サーミスタＴＨ１が配設されている。
【００３６】
また、浴室暖房乾燥機Ａは、図３に示すように、浴室２外の脱衣所に設けた操作器５や浴室２内に設けた操作器３０にてリモコン操作されるように構成されている。
【００３７】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３８】
また、図６に示すように、浴室用の操作器３０には、状態表示部４０、浴室内ミストサウナスイッチ１３４、浴室内ミストスイッチ４１、浴室内温度設定スイッチ４２、浴室内暖房スイッチ１３６、浴室内涼風スイッチ１３７、浴室内風向スイッチ１３３、ミスト入浴時間計測用のストップウォッチのスタート／ストップスイッチ４３、リセットスイッチ４５、浴室内停止スイッチ１３９が設けられている。
【００３９】
また、この実施形態にかかる浴室暖房乾燥機Ａにおいては、グリル板１２の吸い込み口１近傍に、吸気の湿度を検知する湿度検出手段２７（図１、図２）が配設されている。
湿度検出手段２７としては、例えば、ＮＴＣサーミスタなどの感温素子で構成された湿度センサを用いることができる。
【００４０】
なお、湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００４１】
また、図４は、浴室暖房乾燥機Ａの制御部Ｂの一例を示す図である。制御部Ｂには、メモリ２８、演算回路２９などが内蔵され、上記操作器５や浴室用操作器３０をリモコン操作することで制御部Ｂにて、以下に説明するような制御が行われるように構成されている。
【００４２】
＜特徴的構成＞
次に、この実施形態にかかる、浴用ミスト装置を備えた浴室暖房乾燥機Ａの特徴的な構成について説明する。
【００４３】
浴室暖房乾燥機Ａは、上述のように、制御部Ｂ（図４）を備えており、この制御部Ｂが、以下に説明するミスト運転を実行する。
【００４４】
このミスト運転は、ミスト噴霧の開始を指令するミストサウナスイッチ（ミスト噴霧開始指令手段）３４（図５）の操作によって、給湯装置（この実施形態では熱源機１６）から供給されるミスト用湯水を、制御部Ｂが、ミスト用給湯管路２０を経由してミスト噴出手段（この実施形態ではミストノズル）４ａ，４ｂからミスト状に噴出させることにより実行される。
【００４５】
また、この実施形態において、ミスト運転は給湯装置から４８℃の温水を供給することにより行われるが、浴室暖房乾燥機Ａは、ミスト用給湯管路２０を通流するミスト用湯水の温度を検出するミスト用湯水温度検出手段（ミスト温度サーミスタ）ＴＨ１（図１、図２）による検出温度が、所定の温度（例えば４３℃）に達したことを報知する報知手段を備えている。
【００４６】
なお、ミストサウナスイッチ（ミスト噴霧開始指令手段）３４を一度押し操作すると、制御部Ｂがミスト「強」運転を実行し、ミストノズル４ａおよびミストノズル４ｂの両方から温水をミスト状に噴霧し、ミストサウナスイッチ３４の上に配置される強ランプ（ＬＥＤ）３４ａが点灯し、また、ミストサウナスイッチ（ミスト噴霧開始指令手段）３４を二度押し操作すると、制御部Ｂがミスト「弱」運転を実行し、ミストノズル４ａまたはミストノズル４ｂの内の一方（本実施形態では、ミストノズル４ａ）から温水をミスト状に噴霧し、ミストサウナスイッチ３４の上に配置される弱ランプ（ＬＥＤ）３４ｂが点灯するように構成されている。
【００４７】
このミストサウナスイッチ３４の上に配置される強ランプ３４ａおよび弱ランプ３４ｂは、ミスト運転の開始報知手段としての機能を兼ね備えている。
すなわち、ミストの噴霧を開始してから、ミスト温度サーミスタＴＨ１（図１、図２）による検出温度が所定の温度（例えば４３℃）未満である期間は、制御部Ｂがミスト「強」運転を実行している場合はミストサウナスイッチ３４の上に配置される強ランプ３４ａが点滅し、制御部Ｂがミスト「弱」運転を実行している場合はミストサウナスイッチ３４の上に配置される弱ランプ３４ｂが点滅するように構成されている。
【００４８】
そして、ミスト温度サーミスタＴＨ１（図１、図２）による検出温度が所定の温度（例えば４３℃）以上となった時点で、制御部Ｂがミスト「強」運転を実行している場合はミストサウナスイッチ３４の上に配置される強ランプ３４ａが連続点灯し、制御部Ｂがミスト「弱」運転を実行している場合はミストサウナスイッチ３４の上に配置される弱ランプ３４ｂが連続点灯するように構成されている。
【００４９】
なお、この実施形態の浴室暖房乾燥機Ａでは、浴室用の操作器３０に、脱衣所用の操作器５の強ランプ（ＬＥＤ）３４ａ、弱ランプ（ＬＥＤ）３４ｂと同様に機能する強ランプ（ＬＥＤ）１３４ａ、弱ランプ（ＬＥＤ）１３４ｂが配設されている。
【００５０】
上述のように構成された、浴用ミスト装置を備えた浴室暖房乾燥機Ａは、液々熱交換器を必要としないので製造コストを低減することが可能で、しかも、ミスト温度サーミスタ（ミスト用湯水温度検出手段）ＴＨ１による検出温度が所定の温度（例えば４３℃）に達したことを報知する報知手段を備えることで、使用者が、所定の温度（例えば４３℃）に達するまでの間に、ミスト噴出部から噴霧される低温のミストを不用意に浴びることが抑制されるので、使用者に不快感を与えることを回避して、使い勝手を向上させることができる。
【００５１】
また、ミスト用湯水温度検出手段による検出温度が所定の温度（例えば４３℃）未満であることを、上述の強ランプ３４ａまたは弱ランプ３４ｂの点滅により報知するので、使用者に冷たいミストを浴びさせることをより確実に防止することが可能になる。
【００５２】
また、この実施形態の浴用ミスト装置を備えた浴室暖房乾燥機Ａにおいては、制御部Ｂが、ミスト運転の実行時に、ミストノズル（ミスト噴出手段）４ａ、４ｂからミスト用湯水の噴出を開始した時点から、上記報知を行った時点までの経過時間を温度上昇遅延時間として記憶する記憶部としてのメモリ２８（図４）を備えている。
【００５３】
そして、ミスト運転を開始するとき、メモリ２８に記憶されている上述の温度上昇遅延時間をタイマー表示部（時間表示部）３１（図５）に表示する。
【００５４】
このように、ミスト運転を開始するときに、メモリ２８（記憶部）に記憶されている温度上昇遅延時間（当該ミスト運転の直前に実行したミスト運転時における温度上昇遅延時間）を表示するように構成されていることで、使用者は、ミストノズル（ミスト噴出手段）４ａ、４ｂから噴霧される温水が所定の温度（例えば４３℃）に上昇するまでのおよその時間を知ることが可能になる。
因みに、温度上昇遅延時間は給湯装置（熱源機）に供給される水の温度により変化するものであるが、数日の経過による水温の変動は少ないので、およその時間を知るということでは、実使用上問題となることはない。
【００５５】
また、浴室暖房乾燥機Ａは、ミスト用給湯管路２０を通流するミスト用湯水の単位時間当たりの通過量を変更することができるように構成され、ミスト用給湯管路２０を通流するミスト用湯水の単位時間当たりの通過量を設定する通過量設定手段を備えている。
なお、この実施形態では、以下に説明するように、制御部Ｂと、ミスト開閉弁２１ａ，２１ｂが、通過量設定手段を構成している。
【００５６】
この実施形態では、制御部Ｂがミスト「弱」運転を実行している場合であっても、ミスト噴出手段からミスト用湯水の噴出を開始した時点から、ミスト用湯水温度検出手段による検出温度が所定の温度（例えば４３℃）以上である旨の報知を行うまでの間は、変更可能な通過量のうちの最大流量とするように構成されている。すなわち、ミスト用湯水温度検出手段による検出温度が所定の温度（例えば４３℃）に達した旨の報知を行うまでは、制御部Ｂが、通過量設定手段の設定がミスト「弱」運転を実行する設定であっても、ミスト開閉弁２１ａおよびミスト開閉弁２１ｂの両方を開弁することで、ミストノズル４ａおよびミストノズル４ｂの両方から温水をミスト状に噴霧し、ミスト用給湯管路２０を通流するミスト用湯水の単位時間当たりの通過量を、変更可能な通過量のうちの最大流量とするように構成されている。
【００５７】
このように構成することにより、ミスト噴出手段（ミストノズル４ａ，４ｂ）からのミスト用湯水の噴出を開始した時点から、ミスト用湯水温度検出手段が所定の温度（例えば４３℃）に達し、報知が行われるまでの待ち時間を短縮することが可能になり、使い勝手のよい浴用ミスト装置を提供することが可能になる。
【００５８】
なお、上述の、ミスト用湯水温度検出手段による検出温度が所定の温度未満であることを報知するようにした構成、温度上昇遅延時間を表示するようにした構成、および、ミスト用湯水の温度が所定の温度に達した旨の報知を行うまではミスト用湯水の通過量を最大流量とするようにした構成は、いずれも、本発明の必須の構成ではなく、任意の構成であり、上述の任意の構成を備えていない構成とすることも可能である。
【００５９】
なお、本発明は、上記実施形態に限定されるものではなく、発明の範囲内において種々の応用、変形を加えることが可能である。
【符号の説明】
【００６０】
１        吸い込み口
２        浴室
３        吹き出し口
４ａ      ミストノズル
４ｂ      ミストノズル
５        操作器
９        浴室暖房乾燥機本体
１２      グリル板
１３      熱交換器（温風用熱交換器）（加熱部）
１４      送風機
１４ａ    循環ファン
１４ｂ    換気ファン
１６      熱源機（給湯装置）
１９      ミスト発生部
２０      ミスト用給湯管路
２１ａ    ミスト開閉弁
２１ｂ    ミスト開閉弁
２３      給湯電磁弁
２７      湿度検出手段（湿度センサ）
２８      メモリ
２９      演算回路
３０      浴室用の操作器
３１      タイマー表示部（時間表示部）
３４      ミストサウナスイッチ（ミスト噴霧開始指令手段）
３４ａ    強ランプ
３４ｂ    弱ランプ
５１      往き配管
３８      換気スイッチ
５２      往き配管接続部
６１      戻り配管
６２      戻り配管接続部
Ａ        浴室暖房乾燥機
Ｂ        制御部
ＴＨ１    ミスト温度サーミスタ（ミスト用湯水温度検出手段）
ＴＨ２    往き温水温度検出部（暖房温水サーミスタ）
ＴＨ３    浴室温度サーミスタ
【図１】
2017144092.tif 000003
【図２】
2017144092.tif 000004
【図３】
2017144092.tif 000005
【図４】
2017144092.tif 000006
【図５】
2017144092.tif 000007
【図６】
2017144092.tif 000008